(57)【要約】【課題】保守点検の手間を減らした遠隔検針装置を提供する。【解決手段】ケース１０の下部に設けた端子台１１には、送電網からの電力線が接続される端子部２と、需要家側への電力線が接続される端子部３とが設けられている。端子部２は３個の端子２ａ〜２ｃを備え、端子部３は３個の端子３ａ〜３ｃを備えている。ケース１０の内部には、端子部２，３に接続される電力線を通じて需要家側に供給される電力量を計量する計量部と、計量部の計測結果を電力線搬送通信によって外部に送信する通信部とが収納されている。ケース１０には、端子２ａ〜２ｃ及び端子３ａ〜３ｃを覆う端子カバー２０が取り付けられる。端子カバー２０には、端子２ａ〜２ｃにそれぞれ対応する部位に、対応する端子２ａ〜２ｃの幅寸法に比べて開口寸法の小さい貫通孔２２が設けられている。【選択図】図１
2014153295.tif 000002
【特許請求の範囲】
【請求項１】
需要家に送電網を通じて電力を供給する電力事業者から前記送電網を通じて供給され、需要家によって消費される電力量を計量する計量部と、
前記計量部に接続される電力線を介して前記計量部の計測結果を電力線搬送通信により外部へ送信する通信部と、
少なくとも前記計量部を内部に収納するケースと、
前記ケースの外側に露出した状態で配置され、前記計量部に一次側及び二次側の前記電力線を接続するために用いられる端子と、
前記端子を覆う端子カバーとを備え、
前記端子カバーには、前記端子に対応する部位に、対応する前記端子の幅寸法に比べて開口寸法の小さい貫通孔が設けられたことを特徴とする遠隔検針装置。
【請求項２】
前記端子カバーは、前記貫通孔を開閉自在に塞ぐための蓋を備えることを特徴とする請求項１記載の遠隔検針装置。
【発明の詳細な説明】
【技術分野】
【０００１】
本発明は、遠隔検針装置に関するものである。
【背景技術】
【０００２】
従来、需要家が使用した電力量を計量し、その計量値を外部に通信により伝達する遠隔検針装置があった（例えば特許文献１参照）。特許文献１の遠隔検針装置では、電力量を計測するための計測素子と、計測素子によって計測された電力量を積算する計量部と、計量部の積算結果を表示する表示部と、積算結果を外部に通信により伝達する通信制御部とを、電力量計の内部に収納している。電力量計の筐体外殻はベースとガラスカバーと端子箱と端子カバーで構成されている。ベースには計測素子と計量部と表示部と通信制御部とが取り付けられている。端子箱には、外部から被計測信号を取り込む入力端子と、計量信号を出力する通信端子が設けられている。検定機関などで計量部の計量精度を確認した後、計測素子と計量部と表示部と通信制御部とをガラスカバーで覆って封印しており、外部から計量部に触れることができないようにしている。また端子箱には入力端子及び通信端子を覆う端子カバーが取り付けられている。
【先行技術文献】
【特許文献】
【０００３】
【特許文献１】特開２００２−８１７４号公報
【発明の概要】
【発明が解決しようとする課題】
【０００４】
上記特許文献１に開示される遠隔検針装置では、保守点検時に保守端末のプローブを端子箱の端子に当てたい場合、端子カバーを外して端子を露出させる必要があり、保守点検の手間がかかるという問題があった。
【０００５】
本発明は上記課題に鑑みて為されたものであり、その目的とするところは、保守点検の手間を減らした遠隔検針装置を提供することにある。
【課題を解決するための手段】
【０００６】
本発明の遠隔検針装置は、計量部と、通信部と、ケースと、端子と、端子カバーとを備える。計量部は、需要家に送電網を通じて電力を供給する電力事業者から送電網を通じて供給され、需要家によって消費される電力量を計量する。通信部は、計量部に接続される電力線を介して計量部の計測結果を電力線搬送通信により外部へ送信する。ケースは、少なくとも計量部を内部に収納する。端子はケースの外側に露出した状態で配置され、計量部に一次側及び二次側の電力線を接続するために用いられる。端子カバーは端子を覆っており、端子カバーには、端子に対応する部位に、対応する端子の幅寸法に比べて開口寸法の小さい貫通孔が設けられている。
【０００７】
この遠隔検針装置において、端子カバーが、貫通孔を開閉自在に塞ぐための蓋を備えることも好ましい。
【発明の効果】
【０００８】
本発明によれば、端子を覆う端子カバーには、端子に対応する部位に貫通孔が設けられているので、端子カバーに設けられた貫通孔を通して保守端末のプローブを端子に当てることができ、端子カバーを外さなくても保守点検が可能になる。しかも、貫通孔は、端子に対応する部位に設けられ、対応する端子の幅寸法に比べて開口寸法が小さいので、貫通孔に差し込んだプローブを対応する端子に確実に当てることができ、保守点検の作業がやりやすいという効果もある。
【図面の簡単な説明】
【０００９】
【図１】本実施形態の遠隔検針装置を示し、（ａ）は正面図、（ｂ）は右側面図、（ｃ）は下面図である。
【図２】同上の遠隔検針装置を構成する計量ユニットを示し、（ａ）は正面図、（ｂ）は右側面図、（ｃ）は下面図である。
【図３】同上の遠隔検針装置に電力線を接続した状態を示し、（ａ）は一部省略した正面図、（ｂ）は一部省略したＢ−Ｂ線断面図である。
【図４】同上の遠隔検針装置を保守端末で点検する場合を説明する一部省略した断面図である。
【図５】同上の遠隔検針装置のブロック図である。
【図６】同上の遠隔検針装置を構成する端子カバーの別形態を示す断面図である。
【発明を実施するための形態】
【００１０】
以下に、本発明に係る遠隔検針装置の実施形態を図面に基づいて説明する。
【００１１】
本実施形態の遠隔検針装置は、電力事業者から送電網を通じて電力の供給を受ける需要家に設置され、需要家によって消費された電力量を計量し、計量結果を外部に送信するために用いられる。
【００１２】
図５は遠隔検針装置１のブロック図である。遠隔検針装置１は、端子部２，３と、電流・電圧計測部４と、計量部５と、表示部６と、通信部７と、開閉部８とを備える。
【００１３】
端子部２は、送電網からの電力線１００が接続される一次側の端子である。送電網から需要家への配電形式は単相三線式であり、電力線１００はＬ１相とＬ２相と中性相の３本の電線１０２からなり、端子部２は３極の端子２ａ，２ｂ，２ｃを備えている（図３（ａ）参照）。
【００１４】
端子部３は、需要家側への電力線１０１が接続される二次側の端子である。電力線１０１も、電力線１００と同様、Ｌ１相とＬ２相と中性相の３本の電線１０２からなり、端子部３は３極の端子３ａ，３ｂ，３ｃを備えている（図３（ａ）参照）。
【００１５】
電流・電圧計測部４は、例えばカレントトランス（図示せず）を用いて端子部２から入力される入力電流を計測する。また電流・電圧計測部４は、例えばＬ１相と中性相との間の線間電圧、Ｌ２相と中性相との間の線間電圧をそれぞれ分圧抵抗（図示せず）で分圧して得た電圧をもとに、各相間の入力電圧を計測する。
【００１６】
計量部５は、電流・電圧計測部４によって計測された入力電流及び入力電圧をもとに、電力事業者から供給され、需要家によって消費された電力量を計量する。
【００１７】
表示部６は、例えば液晶ディスプレイからなり、計量部５が求めた電力量などを表示する。
【００１８】
通信部７は、端子部２に接続された電力線１００を介して、外部の装置（例えば電力事業者の管理装置や需要家内のＨＡＮ（Home Area Network）コントローラなど）との間で電力線通信方式により通信を行う。例えば通信部７は、計量部５が求めた電力量を、電力線搬送通信により外部の装置に送信する。尚、電力線通信の伝送方式としては例えばＨＤ−ＰＬＣやＧ３−ＰＬＣやＰＲＩＭＥなどの伝送方式がある。
【００１９】
開閉部８は、端子部２と端子部３の間を接続する内部配線の途中に接続されたリレーからなり、通信部７から遮断命令が入力されると、リレーをオフさせて、需要家側への電力供給を遮断する。例えばある需要家が電気料金を長期間滞納した場合や、ある需要家で電力の不正使用が発見された場合、電力事業者の管理装置から遠隔検針装置１に電力線搬送通信により遮断命令が送信される。通信部７が、管理装置から送信された遮断命令を受信すると、開閉部８に遮断命令を出力してリレーをオフさせ、需要家側への電力供給を遮断する。
【００２０】
次に図１〜図４を参照して遠隔検針装置１の構造を説明する。以下では、図１（ａ）に示す向きを基準として上下左右の方向を規定し、図１（ｂ）における左側を前側として説明を行う。尚、この方向は説明の便宜上定義するものであり、実際の取付方向が上記の方向に限定されるものではない。
【００２１】
図１に示すように遠隔検針装置１の外殻はケース１０と端子カバー２０とで構成される。
【００２２】
ケース１０は横長の直方体状に形成されている。ケース１０の内部には電流・電圧計測部４と計量部５と表示部６と通信部７と開閉部８とが収納されている。ケース１０の前面には表示部６のパネル部分が配置されている。
【００２３】
図２及び図３に示すように、ケース１０の下面には、前後方向の厚み寸法がケース１０の厚み寸法よりも小さく、前面がケース１０よりも後側に位置する板状の端子台１１が下方に突出する形で設けられている。端子台１１の前面には６個の穴１２が左右方向に並べて設けられている。各々の穴１２の下部は、端子台１１の下面から上向きに形成された電線挿入用の穴１３と繋がっている。各々の穴１２の後端面には端子板１４が配置されている。端子板１４において、穴１３に対応する部位には２個のネジ孔１４ａが上下に並べて形成されており、各々のネジ孔１４ａに端子ねじ１５がねじ込まれている。施工者が、電線１０２の先端の絶縁被覆を剥いて芯線１０３を露出させ、露出させた芯線１０３を穴１３内に挿入した後、端子ねじ１５をねじ込むと、電線１０２の芯線１０３が端子ねじ１５によって固定されるとともに、芯線１０３が端子板１４に電気的に接続される。ここにおいて、各々の穴１２内に配置された端子板１４と２個の端子ねじ１５とでネジ端子が構成される。図２（ａ）に示すように、左側の３組のネジ端子は、一次側の端子部２を構成する３極の端子２ａ，２ｂ，２ｃとなり、右側の３組のネジ端子は、二次側の端子部３を構成する３極の端子３ａ，３ｂ，３ｃとなる。これらの端子２ａ〜２ｃ、３ａ〜３ｃは、ケース１０の外側に露出した状態で配置されている。
【００２４】
端子カバー２０は合成樹脂成型品からなる。端子カバー２０は、矩形板の下側を斜め後方に折り曲げたような形状に形成された前板２０ａと、前板２０ａの左右の側縁からそれぞれ後側に突出する一対の側板２０ｂと、前板２０ａの下側縁から後側に突出する底板２０ｃとを一体に備えている。底板２０ｃには、外部から電力線１００，１０１を導入するための溝２０ｄが設けられている。端子カバー２０の前板２０ａには、端子カバー２０をケース１０に固定するためのネジ（図示せず）を挿通する貫通孔２１が左右に設けられている。貫通孔２１の周りにはネジの頭部を収める座ぐり穴２１ａが設けられている。端子台１１には、貫通孔２１に対向する位置（正面から見て貫通孔２１と重なる位置）に孔１６が設けられ、孔１６の後側にはナット（図示せず）が配置されている。而して、施工者が、端子部２，３を覆うようにして端子カバー２０を端子台１１に被せた後、貫通孔２１と孔１６とにネジを通し、このネジを孔１６の後側に配置されたナットにねじ込むと、端子カバー２０がケース１０にネジで結合される。施工者は、端子カバー２０をケース１０にネジで固定した後、座ぐり穴２１ａにテープを貼り付けるなどして封印を施し、悪戯などで端子カバー２０が外されないようにしている。
【００２５】
端子カバー２０の前板２０ａには、端子部２を構成する３個の端子２ａ，２ｂ，２ｃにそれぞれ対応する部位、すなわち正面から見て端子２ａ，２ｂ，２ｃとそれぞれ重なる位置に貫通孔２２が設けられている。貫通孔２２は、対応する端子２ａ，２ｂ，２ｃの幅寸法に比べて開口寸法（すなわち直径）が小さめに形成されている。
【００２６】
この遠隔検針装置１の機能（例えば通信部７の通信機能）の保守点検を行う場合、図４に示すように、保守作業者は、ピン形状のプローブ２０１を備えた保守端末２００を用いて点検作業や保守作業を行う。プローブ２０１は端子カバー２０の貫通孔２２に比べて細径に形成されている。貫通孔２２は、端子カバー２０の前板２０ａにおいて端子２ａ，２ｂ，２ｃにそれぞれ対応する部位に設けられており、各々の貫通孔２２は、対応する端子２ａ，２ｂ，２ｃの幅寸法に比べて開口寸法が小さめに形成されている。したがって、保守作業者が貫通孔２２にプローブ２０１を差し込むと、貫通孔２２を通して内部に挿入されたプローブ２０１を、目的の端子（端子２ａ，２ｂ，２ｃの何れか）に確実に当てることができる。よって、保守作業者は、端子カバー２０を外さなくてもプローブ２０１を端子部２に接触させることができ、保守端末２００を用いて遠隔検針装置１の機能の点検作業や保守作業を行うことができるから、保守点検の作業性が向上する。尚、本実施形態では端子カバー２０において、一次側の端子２ａ，２ｂ，２ｃにそれぞれ対応する部位に貫通孔２２が設けられているが、二次側の端子３ａ，３ｂ，３ｃにそれぞれ対応する部位に貫通孔２２が設けられていてもよい。
【００２７】
以上説明したように、本実施形態の遠隔検針装置１は、計量部５と、通信部７と、ケース１０と、端子２ａ〜２ｃ，３ａ〜３ｃと、端子カバー２０とを備える。計量部５は、需要家に送電網を通じて電力を供給する電力事業者から送電網を通じて供給され、需要家によって消費される電力量を計量する。通信部７は、計量部５に接続される電力線１００，１０１を介して計量部５の計測結果を電力線搬送通信により外部へ送信する。ケース１０は、少なくとも計量部５を内部に収納する。端子２ａ〜２ｃ，３ａ〜３ｃはケース１０の外側に露出した状態で配置されている。端子２ａ〜２ｃは計量部５に一次側の電力線１００を接続するために用いられ、端子３ａ〜３ｃは計量部５に二次側の電力線１０１を接続するために用いられる。端子カバー２０は端子２ａ〜２ｃ，３ａ〜３ｃを覆っており、端子カバー２０には、端子２ａ，２ｂ，２ｃに対応する部位に、対応する端子２ａ，２ｂ，２ｃの幅寸法よりも開口寸法の小さい貫通孔２２が設けられている。
【００２８】
これにより、端子カバー２０に設けられた貫通孔２２を通して保守端末２００のプローブ２０１を端子２ａ〜２ｃに当てることができ、端子カバー２０を外さなくても保守点検が可能になる。しかも、貫通孔２２は、端子２ａ，２ｂ，２ｃの各々に対応する部位に設けられ、対応する端子２ａ，２ｂ，２ｃの幅寸法よりも開口寸法が小さめに形成されている。したがって、貫通孔２２に差し込んだプローブ２０１を対応する端子２ａ，２ｂ，２ｃに確実に当てることができ、保守点検の作業がやりやすくなる。
【００２９】
この遠隔検針装置において、図６に示すように、端子カバー２０が、貫通孔２２を開閉自在に塞ぐための蓋２３を備えることも好ましい。蓋２３は、前板２０ａの裏側において貫通孔２２の近傍に設けられた軸２３ａを中心として回転自在に設けられている。蓋２３には、図示しないバネによって、貫通孔２２を閉じる方向に蓋２３を回転させる回転力、すなわち図６に示す向きにおいて蓋２３を時計回りに回転させる回転力が付与されている。
【００３０】
したがって、貫通孔２２にプローブ２０１が挿入されていない状態では、蓋２３は、バネ力を受けて軸２３ａを中心に図６中の時計回りに回転し、貫通孔２２を閉塞している。保守作業者がプローブ２０１を貫通孔２２に差し込むと、プローブ２０１に押されることによって、蓋２３が軸２３ａを中心に図６中の反時計回りに回転し、貫通孔２２が開放されるから、プローブ２０１を容易に差し込むことができる。保守作業者がプローブ２０１を貫通孔２２から引き抜くと、蓋２３は、バネ力を受けて軸２３ａを中心に図６中の時計回りに回転し、貫通孔２２が閉塞される。
【００３１】
このように、貫通孔２２にプローブ２０１が挿入されていない状態では、蓋２３によって貫通孔２２が閉じられており、貫通孔２２を通って端子カバー２０の内側に塵や埃などが入りにくくなる。
【符号の説明】
【００３２】
１  遠隔検針装置
２  端子部
２ａ〜２ｃ  端子
３  端子部
３ａ〜３ｃ  端子
５  計量部
７  通信部
１０  ケース
１１  端子台
２０  端子カバー
２２  貫通孔
２３  蓋
１００，１０１  電力線
【図１】
2014153295.tif 000003
【図２】
2014153295.tif 000004
【図３】
2014153295.tif 000005
【図４】
2014153295.tif 000006
【図５】
2014153295.tif 000007
【図６】
2014153295.tif 000008